(57)【要約】【課題】  本考案はデジタルサイネージ等のディスプレイを取り付ける金具であって、取り付け後の見栄えもよく、保守点検時の作業も容易に行う事のできるディスプレイ用引き出しユニットを提供すること。【解決手段】  前後左右のパネル枠を箱状に接続固定したディスプレイ引き出し部分とガイドローラー１１を取り付けた左右一対の挟持金具４と、この左右の挟持金具４を接続する連結パイプ５とディスプレイ取り付け金具６からなり、ディスプレイ引き出し部分の両サイドパネル３を左右の挟持金具４のガイドローラーで挟み込み、連結パイプ５で該挟持金具４を接続固定し、構造体スタンドの上下骨枠２２に取り付けし、ディスプレイ２１の背面に接続固定したディスプレイ取り付け金具６を前面パネル１に付設固定させる事を構造とするディスプレイ用引き出しユニットである。【選択図】図１
0003218059.tif 000002
【実用新案登録請求の範囲】
【請求項１】
前後左右のパネル枠を箱状に接続固定し、左右のサイドパネルを左右一対の挟持金具に取り付けた前後左右のガイドローラーで挟み込み、さらに該左右一対の挟持金具を連結パイプで接続固定し、構造体スタンドの上下骨枠間に取り付けし、ディスプレイ背面に接続固定したディスプレイ取り付け金具を前面パネルに付設固定させる事を構造とするディスプレイ用引き出しユニット。
【考案の詳細な説明】
【技術分野】
【０００１】  本考案は、ディスプレイを壁面又は壁面に見立てた構造体スタンドに取り付けメンテナンス等を行う時、ディスプレイを手前に引き出し容易に保守点検作業等を行う事ができるディスプレイ用引き出しユニットに関するものである。
【背景技術】
【０００２】  従来、既存の建物内空間を利用して設置するデジタルサイネージ等のディスプレイ用取り付け金具は、壁面又は構造体スタンドの骨枠を利用してディスプレイ用の取り付け金具を固定しており、例えば非特許文献１に掲載されている金具は、出来るだけ奥行きを薄くした金枠を壁面に固定し、同様に奥行きを薄くしたフック状に加工したディスプレイ取り付け金具をディスプレイの背面に取り付けた後、金枠に付設固定させる構造を開示している。【０００３】  又、非特許文献２に掲載されている金具は、溝加工を施した角型のパイプを壁面又は構造体スタンドに固定取り付けし、ディスプレイの背面に取り付けたパンタグラフ構造の伸縮金具でこの角型のパイプに掛止固定させ、必要に応じてディスプレイを手前に引き出しメンテナンス等の作業を行う構造を開示している。
【先行技術文献】
【非特許文献】
【０００４】
【非特許文献１】「オーロラ総合カタログＶｏｌ．４７」．  株式会社共栄商事Ｐ．４０
【非特許文献２】「オーロラ総合カタログＶｏｌ．４７」．  株式会社共栄商事Ｐ．３８−３９
【考案の概要】
【考案が解決しようとする課題】
【０００５】  しかしながら、上述した非特許文献１では金具の背面奥行きを薄くする事により見栄えはいいが、メンテナンス時には反対に奥行きが無い為作業が非常にやりづらく、状況によってはディスプレイを取り外さなければならず手間が掛かり不便である。ディスプレイが単独の場合はそれでも良いが、複数台のマルチ設置となると非常に作業効率が悪くなり、時間を消費する。【０００６】  さらに非特許文献２では、取り付け金具にパンタグラフ構造を用いてメンテナンスを簡単にできる様に工夫している。しかしながら、このパンタグラフ構造だと、ディスプレイを手前に引き出した際ディスプレイの重みでパンタグラフが傾いてしまう。この金具も単体で使用する場合ならば問題がないが、複数台のマルチ設置となると、上下横のディスプレイに挟まれている場合、引き出す時と戻す時に四方で接触干渉してディスプレイ本体にキズをつけてしまう恐れが生じる。【０００７】  本考案は上述した内容を鑑み、ディスプレイを取り付けた後の美観もよく、メンテナンス時の作業も容易に出来るディスプレイ用引き出しユニットを提供する事を目的とする。
【課題を解決するための手段】
【０００８】  上記の目的を達成するため本考案は、前後左右のパネル枠に穴加工を施し箱状に接続固定した引き出し部とローラーガイドを取り付けた左右一対の挟持金具とこの左右の挟持金具を接続固定する連結パイプとディスプレイ取り付け金具からなり、引き出し部の両サイドパネルを左右の挟持金具に取付けたローラーガイドで挟み込み、この左右の挟持金具間を連結パイプで接続固定し、構造体スタンドの上下骨枠間に固定し、ディスプレイの背面に接続固定したディスプレイ取り付け金具を箱状の引き出し部の前面パネルに付設固定させる事を構造とするディスプレイ用引き出しユニットにより構成される。
【考案の効果】
【０００９】  本考案の効果として、箱状の引き出し部の左右サイドパネルを左右の挟持金具に取り付けたガイドローラーで上下前後を各々挟み込んでおり、左右の挟持金具自体は、連結パイプで接続固定され構造体スタンドの上下骨枠で取り付け固定される為、ディスプレイを箱状の前面パネルへ付設固定させ手前に引き出しても重みで傾くことはなく、調整や保守点検作業がしやすい。【００１０】  また、ディスプレイを付設固定させる引き出し部が前後左右パネルを接続固定した箱状の為、余分な配線ケーブル等を箱内空きスペースに収納することができ、底板を取り付ければ完全なボックスとなりセットトップボックス等の機器を収納することも可能となり、見栄えも良く便利である。
【図面の簡単な説明】
【００１１】
【図１】本考案に係るディスプレイ用引き出しユニットの側面図であり、構造体スタンドに取り付けディスプレイを付設固定させた引き出し部を前方に引き出した状態を示している。
【図２】同上ディスプレイ用引き出しユニットの側面図であり、ディスプレイを付設固定させた引き出し部を構造体スタンドに収納した状態を示している。
【図３】同上ディスプレイ用引き出しユニットを構造体スタンドに取り付けた場合の正面図である。
【図４】同上ディスプレイ用引き出しユニットの斜視構造図である。
【考案を実施するための形態】
【００１２】  以下、本考案のディスプレイ用引き出しユニットについて図面にもとづき説明する。
【実施例】
【００１３】  図１は、本考案に係るディスプレイ用引き出しユニットの側面図であり、折り曲げた前後左右のパネル枠を接続固定し箱状とした引き出し部の左右サイドパネル３を、ガイドローラー１１を取り付けた挟持金具４で挟み込み、さらに連結パイプ５で該挟持金具４を接続固定し、構造体スタンドの上下骨枠２２に固定しディスプレイ２１の背面に接続固定したディスプレイ取り付け金具６を箱状の前面パネル１に付設固定させ前面に引き出した状態を示している。この時連結パイプ５に付設したストッパー固定金具１３と背面パネル２をノブボルト１２で固定する事によって前側に引き出した状態を保つことができる。【００１４】  図２は、前記図１同様ディスプレイ２１を付設固定させた引き出し部を構造体スタンドに収納した状態を示した側面図である。この時、連結パイプ５に付設したストッパー固定金具１３と箱状の前面パネル１をノブボルト１２で固定する事によって収納した状態を保つことができる。【００１５】  図３は、本考案に係るディスプレイ用引き出しユニットの正面図であり、箱状の左右サイドパネル３を、ガイドローラー１１を取り付けた左右の挟持金具４で挟み込み、さらに該挟持金具４を連結パイプ５で接続固定し構造体スタンドの上下骨枠２２に固定した状態を示している。【００１６】  図４は、本考案に係るディスプレイ用引き出しユニットの構造を示す斜視図である。箱状の前後左右のパネルは各々上下方向へ板金をＣ型状に折り曲げ、さらに内側へ曲げ強度を持たせている。又、前面パネル１には、ケーブル用通線孔とディスプレイ取り付け金具６の固定用及び垂直調整用の長穴スリット、さらにディスプレイを収納した時にストッパー固定金具１３との接続用溶接ナットを設けている。同様に背面パネル２にも通線孔とディスプレイを引き出したときにストッパー固定金具１３との接続用貫通穴を設ける。また、左右のサイドパネル３には左右の挟持金具４を接続する連結パイプ５を通し、引き出しユニット部が前面に引き出されても該連結パイプ５がサイドパネル３に当たらないよう四角形の開口を設けている。【００１７】  左右の挟持金具４は、Ｃ型状の角パイプに折り曲げた板金の上下端を閉状態に塞ぎ、箱状の左右サイドパネル３を挟み込む面側には、上下前後にガイドローラー１１を取り付け、連結パイプ５との接続用の取り付け穴を設け、上下の両端を塞いだ面には、構造体スタンド骨枠２２との接続固定用の取り付け穴を設ける。これにより挟持金具４の上下を構造体スタンド骨枠２２で挟み込み、さらに連結パイプ５で左右の挟持金具４を接続固定する事によって引き出しユニット部にディスプレイ２１の重みが掛かっても傾くことなく水平に引き出すことができる。【００１８】連結パイプ５は、板金を折り曲げたＣ型形状とし、パイプの両先端部分にはナットを施した蓋を溶接させ、上面センター部分には接続固定用の溶接ナットと貫通穴を施したＬ型形状のストッパー固定金具１３を取り付ける。これにより、左右の挟持金具４に連結パイプ５を接続固定し、ストッパー固定金具１３を前面パネル１又は背面パネル２にノブボルト１２で止め前後に動かないよう固定させる事ができる。
【産業上の利用可能性】
【００１９】  一般的な引き出しユニットは、引き出しユニット側面に取り付けた左右１本ずつのガイドレールに左右の構造体に取り付けたローラーを入れ込む構造となっている為、ある程度の重みが掛かると手前に引き出した時に傾きが生じるが、本考案では、左右の挟持金具に取り付けた上下前後のガイドローラーで箱状のサイドパネルを左右各々挟み込む構造の為、一定以上の重みが掛かっても傾きが生じることは無く、ディスプレイの引き出しだけでなく、様々な引き出し用途にも応用し利用できる。
【符号の説明】
【００２０】  １．  前面パネル
２．  背面パネル
３．  サイドパネル
４．  挟持金具
５．  連結パイプ
６．  ディスプレイ取り付け金具
１１．ガイドローラー
１２．ノブボルト
１３．ストッパー固定金具
２１．ディスプレイ
２２．構造体スタンド骨枠
【図１】
0003218059.tif 000003
【図２】
0003218059.tif 000004
【図３】
0003218059.tif 000005
【図４】
0003218059.tif 000006